(57)【要約】【課題】ユーザーの要求に適切に対応することができる画像形成装置を提供する。【解決手段】複合機１１は、割り込み検知部３１と、計測部３２と、第一判断部３３と、第二判断部３４と、判定部３５とを備える。計測部３２は、割り込み検知部３１によりゼロクロスの割り込みを検知すれば、ＡＣ電源のゼロクロスの周期を計測する。第一判断部３３は、通電部３０によりヒーターに通電されたか否かを判断する。第二判断部３４は、第一の周期の計測の後に計測部３２により計測されたゼロクロスの第二の周期と、ハードディスク１７に記憶された第一の周期とが同じか否かを判断する。判定部３５は、第一判断部３３によりヒーター２８に通電されたと判断されず、第二判断３４部により第一の周期と第二の周期とが同じでないと判断されれば、ＡＣ電源を入力する環境が異常であると判定する。【選択図】図１
2019184815.tif 000002
【特許請求の範囲】
【請求項１】
用紙に画像を形成する画像形成装置であって、
用紙上にトナー像を形成する現像部と、
前記現像部によりトナー像が形成された前記用紙と接触して前記トナー像を前記用紙に定着させる熱ローラーと、
前記熱ローラーを加熱するヒーターと、
前記ヒーターへ通電を行う通電部と、
前記画像形成装置へＡＣ電源が入力されれば、前記ＡＣ電源のゼロクロスの割り込みを検知する割り込み検知部と、
前記割り込み検知部によりゼロクロスの割り込みを検知すれば、前記ＡＣ電源のゼロクロスの周期を計測する計測部と、
前記計測部により計測されたゼロクロスの第一の周期を記憶する記憶部と、
前記通電部により前記ヒーターに通電されたか否かを判断する第一判断部と、
前記第一の周期の計測の後に前記計測部により計測されたゼロクロスの第二の周期と、前記記憶部に記憶された前記第一の周期とが同じか否かを判断する第二判断部と、
前記第一判断部により前記ヒーターに通電されたと判断されず、前記第二判断部により前記第一の周期と前記第二の周期とが同じでないと判断されれば、前記ＡＣ電源を入力する環境が異常であると判定する判定部と、
前記判定部による判定結果を報知する報知部とを備える、画像形成装置。
【請求項２】
前記判定部は、前記第一判断部により前記ヒーターに通電されたと判断され、前記第二判断部により前記第一の周期と前記第二の周期とが同じでないと判断されれば、前記通電部が異常であると判定する、請求項１に記載の画像形成装置。
【請求項３】
前記判定部により、前記通電部が異常であると判定されれば、前記通電部による通電制御の変更を受け付ける受け付け部と、
前記受け付け部により受け付けられた前記変更の内容で通電制御を行うよう前記通電部を制御する通電制御部とをさらに備える、請求項２に記載の画像形成装置。
【請求項４】
前記通電制御部は、前記受け付け部により通電制御の変更を受け付ければ、疑似半波制御で前記通電部を制御する、請求項３に記載の画像形成装置。
【請求項５】
前記判定部は、前記第二判断部により前記第一の周期と前記第二の周期とが同じでないと判断された回数が所定の回数を超えれば、前記ＡＣ電源を入力する環境または前記通電部が異常であると判定する、請求項２〜請求項４のいずれか１項に記載の画像形成装置。
【請求項６】
前記計測部は、定期的に前記ＡＣ電源のゼロクロスの周期を計測し、
前記記憶部は、最新の前記ゼロクロスの周期を前記第一の周期として更新して記憶する、請求項１〜請求項５のいずれか１項に記載の画像形成装置。
【発明の詳細な説明】
【技術分野】
【０００１】
この発明は、画像形成装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、用紙にトナーを定着させる定着器に関する技術が、特開２０１５−２２５１２５号公報（特許文献１）に開示されている。
【０００４】
特許文献１に開示の画像形成装置は、電子写真方式に従って記録媒体に形成された画像を定着器により加熱定着する。画像形成装置は、ＡＣ電源により前記定着器のヒータに通電して加熱する加熱手段と、前記ＡＣ電源の周波数を測定する測定手段と、前記測定手段により測定された周波数が予め定められた範囲のなかにあるかどうかを監視する監視手段と、前記監視手段の監視により、前記周波数が前記予め定められた範囲内にあると判断された場合、前記加熱手段を動作させて前記ヒータに通電し、前記周波数が前記予め定められた範囲の外にあると判断された場合には、前記加熱手段による前記ヒータへの通電を一時的に停止し、さらに前記ヒータへの通電停止中に前記監視手段による監視による前記周波数が前記予め定められた範囲の外にあると判断された回数が予め定められた回数以上の場合には画像形成と前記監視手段による監視を停止し、前記周波数が前記予め定められた範囲の外にあると判断された回数が予め定められた回数未満の場合には、前記監視手段による監視を続行するよう制御する制御手段とを有することを特徴としている。
【先行技術文献】
【特許文献】
【０００５】
【特許文献１】特開２０１５−２２５１２５号公報
【発明の概要】
【発明が解決しようとする課題】
【０００６】
特許文献１によると、周波数が予め定められた範囲内にあるか否かの要因を特定できない。すなわち、周波数が予め定められた範囲の外にある要因について、画像形成装置に入力される電源環境に起因するものか、または定着のヒーターを通電させた影響に起因するものかが不明なままである。このような状況では、例えば、適切に定着の制御の変更を行うことができず、オフセットの発生等、定着性能に影響を及ぼすことになる。
【０００７】
この発明の目的は、ユーザーの要求に適切に対応することができる画像形成装置を提供することである。
【課題を解決するための手段】
【０００８】
この発明に係る画像形成装置は、用紙に画像を形成する。画像形成装置は、現像部と、熱ローラーと、ヒーターと、通電部と、割り込み検知部と、計測部と、記憶部と、第一判断部と、第二判断部と、判定部と、報知部とを備える。現像部は、用紙上にトナー像を形成する。熱ローラーは、現像部によりトナー像が形成された用紙と接触してトナー像を用紙に定着させる。ヒーターは、熱ローラーを加熱する。通電部は、ヒーターへ通電を行う。割り込み検知部は、画像形成装置へＡＣ電源が入力されれば、ＡＣ電源のゼロクロスの割り込みを検知する。計測部は、割り込み検知部によりゼロクロスの割り込みを検知すれば、ＡＣ電源のゼロクロスの周期を計測する。記憶部は、計測部により計測されたゼロクロスの第一の周期を記憶する。第一判断部は、通電部によりヒーターに通電されたか否かを判断する。第二判断部は、第一の周期の計測の後に計測部により計測されたゼロクロスの第二の周期と、記憶部に記憶された第一の周期とが同じか否かを判断する。判定部は、第一判断部によりヒーターに通電されたと判断されず、第二判断部により第一の周期と第二の周期とが同じでないと判断されれば、ＡＣ電源を入力する環境が異常であると判定する。報知部は、判定部による判定結果を報知する。
【発明の効果】
【０００９】
このような画像形成装置によると、ＡＣ電源の異常が生じた場合にＡＣ電源を入力する環境に依存するものか、ヒーターに通電する通電部の影響によるものかを判定することができる。そうすると、状況に応じた適切な対応を取ることができる。したがって、このような画像形成装置によると、ユーザーの要求に適切に対応することができる。
【図面の簡単な説明】
【００１０】
【図１】この発明の一実施形態に係る画像形成装置を複合機に適用した場合の複合機の構成を示すブロック図である。
【図２】図１に示す複合機において、用紙に画像を形成する場合の処理の流れを示すフローチャートである。
【図３】ＡＣ電源の入力信号の波形と時間との関係を示すグラフである。
【図４】表示画面の一例を示す図である。
【図５】表示画面の一例を示す図である。
【発明を実施するための形態】
【００１１】
以下、この発明の実施の形態を説明する。なお、以下の図面において同一または相当する部分には同一の参照番号を付しその説明は繰返さない。
【００１２】
図１は、この発明の一実施形態に係る画像形成装置を複合機に適用した場合の複合機の構成を示すブロック図である。図１を参照して、複合機１１は、画像処理に関し、コピー機能、プリンター機能、ファクシミリ機能等、複数の機能を有する。複合機１１は、外部からのＡＣ（Ａｌｔｅｒｎａｔｉｎｇ  Ｃｕｒｒｅｎｔ：交流）電源の入力により駆動する。
【００１３】
複合機１１は、制御部１２と、操作部１３と、画像読み取り部１４と、画像形成部１５と、給紙カセット１６と、記憶部としてのハードディスク１７と、ネットワーク２３と接続するためのネットワークインターフェース部１８とを備える。制御部１２は、一時的にデータを記憶する主記憶メモリ１９を含み、プロセッサー、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）等から構成される。主記憶メモリ１９は、記憶部としても機能する。プロセッサーは、ＣＰＵ（Ｃｅｎｔｒａｌ  Ｐｒｏｃｅｓｓｉｎｇ  Ｕｎｉｔ）、ＡＳＩＣ、ＭＣＵ等である。制御部１２は、上記のＲＯＭまたは主記憶メモリ１９に記憶された制御プログラムが上記のプロセッサーで実行されることにより、後述する第一判断部３２等として機能し、複合機１１全体の制御を行う。なお、制御部１２の上記の各構成要素は、前述の制御プログラムに基づく動作によらず、それぞれハード回路により構成されていてもよい。
【００１４】
操作部１３は、画像形成の部数、すなわち、印刷部数や階調等の画像形成の条件といった画像形成に関するユーザーからの入力を受け付ける。操作部１３は、複合機１１側から発信される情報やユーザーの入力内容を表示する表示部としての表示画面２１を含む。表示画面２１は、情報を表示により報知する報知部としても機能する。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または原稿を載置する載置台上にセットされた原稿の画像を読み取る。給紙カセット１６は、複数枚の用紙をその内部に収納することができる。画像形成部１５は、搬送されてきた用紙上にトナー像を形成する現像部２４と、現像部２４によりトナー像が形成された用紙にトナー像を定着させる定着装置２５とを含む。画像形成部１５は、画像読み取り部１４により読み取られた原稿の画像データやネットワーク２３を介して送信された画像データを基に、給紙カセット１６から搬送されてきた用紙に画像を形成して印刷する。ハードディスク１７は、ネットワーク２３を介して受信した画像データや入力された画像形成条件等、画像形成に関するデータを記憶する。ハードディスク１７は、後述する計測部３２により計測されたＡＣ電源のゼロクロスの第一の周期のデータも記憶する。なお、同じく後述するように、計測部３２によりゼロクロスの周期は定期的に計測され、ハードディスク１７は、最新のゼロクロスの周期を第一の周期として更新して記憶する。
【００１５】
次に、定着装置２５の構成について簡単に説明する。定着装置２５は、熱ローラー２６と、圧ローラー２７と、ヒーター２８と、温度検知部２９と、通電部３０とを備える。熱ローラー２６は、中空の円筒状であって、回転可能に設けられている。圧ローラー２７は、中実の円柱状であって、回転可能に設けられている。熱ローラー２６と圧ローラー２７とはそれぞれ接触して設けられており、熱ローラー２６と圧ローラー２７との間に、トナー像が未定着の用紙が搬送される。そして、回転する熱ローラー２６および圧ローラー２７の加熱および加圧によりトナー像が用紙に定着される。
【００１６】
熱ローラー２６の内部には、ヒーター２８が配置される。ヒーター２８は、通電部３０により通電が行われ、発熱する。ヒーター２８は、熱ローラー２６の内側から加熱するよう設けられている。ヒーター２８としては、例えば、定着ヒーターランプが用いられる。温度検知部２９は、熱ローラー２６の温度を検知する。温度検知部２９としては、例えば、サーミスタ等が用いられる。通電部３０は、ヒーター２８への通電を行う。通電部３０は、例えば、低圧電源基板や制御基板等から構成される。
【００１７】
また、複合機１１に備えられる制御部１２は、割り込み検知部３１と、計測部３２と、第一判断部３３と、第二判断部３４と、判定部３５と、受け付け部３６と、通電制御部３７とを備える。割り込み検知部３１は、複合機１１へＡＣ電源が入力されれば、ＡＣ電源のゼロクロスの割り込みを検知する。計測部３２は、割り込み検知部３１によりゼロクロスの割り込みを検知すれば、ＡＣ電源のゼロクロスの周期を計測する。計測部３２は、ＡＣ電源のゼロクロスの周期を定期的に計測する。第一判断部３３は、通電部３０によりヒーター２８に通電されたか否かを判断する。第二判断部３４は、第一の周期の計測の後に計測部３２により計測されたゼロクロスの第二の周期と、ハードディスク１７に記憶された第一の周期とが同じか否かを判断する。判定部３５は、第一判断部３３によりヒーター２８に通電されたと判断されず、第二判断部３４により第一の周期と第二の周期とが同じでないと判断されれば、ＡＣ電源を入力する環境が異常であると判定する。また、判定部３５は、第一判断部３３によりヒーター２８に通電されたと判断され、第二判断部３４により第一の周期と第二の周期とが同じでないと判断されれば、通電部３０が異常であると判定する。報知部としての表示画面２１は、判定部３５による判定結果を報知する。受け付け部３６は、判定部３５により、通電部３０が異常であると判定されれば、通電部３０による通電制御の変更を受け付ける。通電制御部３７は、受け付け部３６により受け付けられた変更の内容で通電制御を行うよう通電部３０を制御する。これらの構成については、後述する。
【００１８】
次に、この複合機１１において、ＡＣ電源を複合機１１に入力し、用紙に画像を形成する場合の処理の流れについて説明する。図２は、図１に示す複合機１１において、用紙に画像を形成する場合の処理の流れを示すフローチャートである。
【００１９】
併せて図２を参照して、複合機１１に設けられたコンセントの挿入等により、複合機１１にＡＣ電源が入力される。複合機１１がＡＣ電源の入力、すなわち、電源オンを検知すると（図２において、ステップＳ１１、以下、「ステップ」を省略する）、ＡＣ電源の周波数を監視し、割り込み検知部３１は、ゼロクロス割り込みを検知したか否かを判断する（Ｓ１２）。ここで、ゼロクロス割り込みについて説明する。
【００２０】
図３は、ＡＣ電源の入力信号の波形と時間との関係を示すグラフである。横軸で経過時間を示し、縦軸で入力信号を示す。図３中、線４１で正常時におけるＡＣ電源の入力信号を示し、線４２で正常時におけるゼロクロス信号を示す。また、図３中、線４３で異常時におけるＡＣ電源の入力信号を示し、線４４で異常時におけるゼロクロス信号を示す。
【００２１】
最初のゼロクロス割り込みは、図３中のタイミングＢ１で表れる（Ｓ１２において、ＹＥＳ）。そうすると、計測部３２は、ゼロクロス割り込みの周期の測定を開始する（Ｓ１３）。その後、再びタイミングＢ２でゼロクロス割り込みが表れる。タイミングＢ１からタイミングＢ２までの時間Ｔ１が、周期Ｚｎとなる。そして、周期Ｚｎは、第一の周期としてハードディスク１７に記憶される。その後、計測部３２は、ＡＣ電源のゼロクロスの周期を定期的に計測する。周期Ｚｎは、定期的に更新され、ハードディスク１７に記憶される。
【００２２】
その後、ヒーター２８への通電の有無を判断する（Ｓ１４）。すなわち、第一判断部３３は、通電部３０によりヒーター２８に通電されたか否かを判断する。ここで、通電部３０による通電は、例えば、複合機１１によるユーザーからの画像形成の命令を受け付けた際に、用紙を用いた画像形成である場合に、通電部３０による通電が行われることとなる。すなわち、用紙への画像形成の要求を受け付けていない状態においては、ヒーター２８へ通電されていないと判断される（Ｓ１４において、ＮＯ）。
【００２３】
その後、計測部３２は、第一の周期の計測の後に第二の周期としてゼロクロスの周期を計測する。そして、第二判断部３４は、第一の周期の計測の後に計測部３２により計測されたゼロクロスの第二の周期と、ハードディスク１７に記憶された第一の周期とが同じか否かを判断する。この場合、第二の周期を周期Ｚｎとすると、第一の周期はハードディスク１７に記憶された周期Ｚｎ−１で表される。そして、ＺｎとＺｎ−１が同じであるか否かが判断される（Ｓ１５）。
【００２４】
判定部３５は、第二判断部３４により第一の周期と第二の周期とが同じでないと判断されれば、第一ゼロクロス異常として、ＡＣ電源を入力する環境が異常であると判定する（Ｓ１５において、ＮＯ、Ｓ１６）。すなわち、判定部３５は、第一判断部３３によりヒーター２８に通電されたと判断されず、第二判断部３４により第一の周期と第二の周期とが同じでないと判断されれば、ＡＣ電源を入力する環境が異常であると判定する。これについて説明する。
【００２５】
再び図３を参照して、ＡＣ電源の異常が発生した場合、具体的には、線４３において表れる波形において表れるノイズ４５がある場合、ゼロクロスの信号は、線４４で表れる波形となる。そして、このノイズ４５に基づいたタイミングＢ３からタイミングＢ２までの時間Ｔ２が、ゼロクロスの周期Ｚｎとなる。この時間Ｔ２は、時間Ｔ１よりも短いため、ＺｎとＺｎ−１が同じとならない。
【００２６】
ここで、通電部３０による通電が行われていないため、判定部３５は、ＡＣ電源を入力する環境が異常であると判定する。そして、報知部としての表示画面２１によりその旨が表示される（Ｓ１７）。
【００２７】
図４は、この場合の表示画面２１の一例を示す図である。図４を参照して、表示画面２１には、「ＡＣ電源を入力する環境が異常です。」とのメッセージ４６と、次の画面へ遷移させる「ＯＫ」と表示されたキー４７とが表示される。これにより、ＡＣ電源を入力する環境が異常である旨をユーザーは把握することができる。
【００２８】
次に、Ｓ１５において、第二判断部３４により第一の周期と第二の周期とが同じであると判断されれば（Ｓ１５において、ＹＥＳ）、通電部３０によるヒーター２８への通電まで判定部３５による判定が引き続き行われる。
【００２９】
第一判断部３３が、通電部３０によりヒーター２８に通電されたと判断すると（Ｓ１４において、ＹＥＳ）、ゼロクロス割り込みの周期の測定を開始する（Ｓ１８）。このようにして測定が開始された周期Ｈｎは、第一の周期としてハードディスク１７に記憶される。
【００３０】
その後、計測部３２は、第一の周期の計測の後に第二の周期としてゼロクロスの周期を計測する。そして、第二判断部３４は、第一の周期の計測の後に計測部３２により計測されたゼロクロスの第二の周期と、ハードディスク１７に記憶された第一の周期とが同じか否かを判断する。この場合、第二の周期を周期Ｈｎとすると、第一の周期はハードディスク１７に記憶された周期Ｈｎ−１で表される。そして、ＨｎとＨｎ−１が同じであるか否かが判断される（Ｓ１９）。
【００３１】
判定部３５は、第二判断部３４により第一の周期と第二の周期とが同じでないと判断されれば、第二ゼロクロス異常として、通電部３０が異常であると判定する（Ｓ１９において、ＮＯ、Ｓ２０）。すなわち、判定部３５は、第一判断部３３によりヒーター２８に通電されたと判断され、第二判断部３４により第一の周期と第二の周期とが同じでないと判断されれば、通電部３０が異常であると判定する。そして、報知部としての表示画面２１は、その旨を表示する。また、通電部３０による通電制御の変更画面を表示する。
【００３２】
図５は、この場合の表示画面２１の一例を示す図である。図５を参照して、表示画面２１には、「通電部が異常です。」とのメッセージ４８と、「通電制御を変更」と表示されており、押下を検知することにより通電制御を変更するキー４９と、「通電制御を維持」と表示されており、押下を検知することにより通電制御を維持するキー５０と、次の画面へ遷移させる「ＯＫ」と表示されたキー５１とが表示される。これにより、通電部３０が異常である旨をユーザーは把握することができる。また、定着制御、すなわち、ヒーター２８に通電する通電部３０の通電制御の変更を選択することができる。
【００３３】
その後、受け付け部３６は、通電部３０による通電制御の変更を受け付ける（Ｓ２１）。すなわち、受け付け部３６は、判定部３５により、通電部３０が異常であると判定されれば、表示画面２１を介して通電部３０による通電制御の変更を受け付ける。この場合、表示画面２１により、ユーザーからの変更の入力を受け付ける。具体的には、通電制御を変更するか、通電制御をそのまま維持するかを問い合わせる。
【００３４】
キー４９の押下を検知し、通電制御の変更を受け付ければ（Ｓ２１において、ＹＥＳ）、通電制御部３７は、受け付けられた変更の内容で通電制御を行うよう通電部３０を制御する。この場合、通電部３０による通電制御を、例えば、疑似半波制御に変更する（Ｓ２２）。疑似半波制御は、リモート信号がオンすると同時にヒーター２８への通電をオンにする制御である。一方、通電制御への変更を受け付けなければ（Ｓ２１において、ＮＯ）、すなわち、キー５０の押下を検知し、通電制御を維持する旨の要求を受け付ければ、通電制御部３７は、通電制御を変更しないで通電部３０を制御する。すなわち、位相制御をそのまま維持する（Ｓ２３）。
【００３５】
なお、判定部３５は、第二判断部３４により第一の周期と第二の周期とが同じであると判断されれば、印刷が終了するまで、判定を続ける（Ｓ１９において、ＹＥＳ、Ｓ２４）。この場合、判定部３５によりＡＣ電源を入力する環境の異常、および通電部３０の異常の双方に判定されなければ、そのまま印刷処理を終了することになる。
【００３６】
このような複合機１１によると、ＡＣ電源の異常が生じた場合にＡＣ電源を入力する環境に依存するものか、通電部の影響によるものかを判定することができる。そうすると、状況に応じた適切な対応を取ることができる。具体的には、ＡＣ電源を入力する環境が異常であると判定された場合には、複合機１１自体に問題がない旨をユーザーが把握することができる。そうすると、ＡＣ電源を適切に入力できる環境の整った場所への複合機１１の移動等を行って、そのまま複合機１１による画像形成の続行を行うことができる。また、通電部３０が異常であると判定された場合においても、通電部３０による制御の変更を受け付け、定着におけるオフセットの発生を防止したり、定着性能への影響を少なくすることができる。また、雑音端子電圧ノイズの悪化を防止する制御としたり、高調波ノイズの悪化を防止する制御としたりすることができる。なお、これら雑音端子電圧ノイズや高調波ノイズは、他の電化製品への電気的不具合を誘発させる可能性があるものである。したがって、このような複合機１１によると、ユーザーの要求に適切に対応することができる。
【００３７】
この場合、通電制御部３７は、受け付け部３６により疑似半波制御への変更を受け付ければ、疑似半波制御で通電部３０を制御するため、より容易に定着への影響を緩和して画像を形成することができる。
【００３８】
また、この場合、計測部３２は、定期的にＡＣ電源のゼロクロスの周期を計測し、ハードディスク１７は、最新のゼロクロスの周期を第一の周期として更新して記憶しているため、より精度よく判定することができる。
【００３９】
なお、上記の実施の形態においては、通電制御部３７は、受け付け部３６により通電制御の変更を受け付ければ、疑似半波制御で通電部３０を制御することとしたが、これに限らず、他の制御、例えば、通常の半波制御を採用することとしてもよい。
【００４０】
また、上記の実施の形態において、受け付け部３６および通電制御部３７を備えない構成とし、ＡＣ電源を入力する環境の異常か通電部３０の異常かを報知するのみの構成としてもよい。
【００４１】
なお、上記の実施の形態においては、表示画面２１による表示によりＡＣ電源を入力する環境の異常等を報知することとしたが、これに限らず、複合機１１は、音声発生部を備え、音声発生部による音声によりＡＣ電源を入力する環境の異常等を報知することとしてもよい。さらに、音声と表示の双方により報知することとしてもよい。
【００４２】
また、上記の実施の形態においては、計測部３２は、定期的にＡＣ電源のゼロクロスの周期を計測することとしたが、これに限らず、計測部３２は、例えば、ユーザーの要求する所定のタイミングでＡＣ電源のゼロクロスの周期を計測することとしてもよい。そして、ハードディスク１７は、最新のゼロクロスの周期を第一の周期として更新して記憶するようにしてもよい。
【００４３】
なお、上記の実施の形態において、判定部は、第二判断部により第一の周期と第二の周期とが同じでないと判断された回数が所定の回数を超えれば、ＡＣ電源を入力する環境または通電部が異常であると判定するようにしてもよい。こうすることにより、よりユーザーの要求に応じた対応を取ることができる。
【００４４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係る画像形成装置は、ユーザーの要求への適切な対応が要求される場合に、特に有効に利用される。
【符号の説明】
【００４６】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  ネットワーク、２４  現像部、２５  定着装置、２６  熱ローラー、２７  圧ローラー、２８  ヒーター、２９  温度検知部、３０  通電部、３１  割り込み検知部、３２  計測部、３３  第一判断部、３４  第二判断部、３５  判定部、３６  受け付け部、３７  通電制御部、４１，４２，４３，４４  線、４５  ノイズ、４６，４８  メッセージ、４７，４９，５０，５１  キー。
【図１】
2019184815.tif 000003
【図２】
2019184815.tif 000004
【図３】
2019184815.tif 000005
【図４】
2019184815.tif 000006
【図５】
2019184815.tif 000007